(57)【要約】【課題】行先釦の操作性を向上させることができるエレベーターの行先操作盤を得る。【解決手段】エレベーターの乗場またはかご内に設けられて、行先階を登録するためのタッチパネルディスプレイ１を備えたエレベーターの行先操作盤において、建物内の全ての行先釦の表示をグループ分けして分割した複数の行先階登録画面の表示優先度をパラメータとして設定するパラメータ設定手段６と、前記複数の行先階登録画面の表示優先度の比較に基づいて前記タッチパネルディスプレイ１に表示する行先階登録画面を決定する表示画面決定手段７とを備えた。【選択図】        図１
2004292155.tif 000002
【特許請求の範囲】
【請求項１】
エレベーターの乗場またはかご内に設けられて、行先階を登録するためのタッチパネルディスプレイを備えたエレベーターの行先操作盤において、
建物内の全ての行先釦の表示をグループ分けして分割した複数の行先階登録画面の表示優先度をパラメータとして設定するパラメータ設定手段と、
前記複数の行先階登録画面の表示優先度の比較に基づいて前記タッチパネルディスプレイに表示する行先階登録画面を決定する表示画面決定手段と
を備えたことを特徴とするエレベーターの行先操作盤。
【請求項２】
請求項１に記載のエレベーターの行先操作盤において、
行先階登録画面内の各階床の行先呼びが登録された回数に応じて表示優先度を判定する表示優先度判定手段をさらに備え、
前記表示画面決定手段は、前記表示優先度判定手段により判定された表示優先度に行先階登録画面の表示優先度を変更する
ことを特徴とするエレベーターの行先操作盤。
【請求項３】
請求項１に記載のエレベーターの行先操作盤において、
設定される運転モードに応じて当該運転モードの運転時間に従って特定のサービス階の行先階登録画面の表示優先度を判定する表示優先度判定手段をさらに備え、
前記表示画面決定手段は、前記表示優先度判定手段により判定された表示優先度に行先階登録画面の表示優先度を変更する
ことを特徴とするエレベーターの行先操作盤。
【発明の詳細な説明】
【０００１】
【発明の属する技術分野】
この発明は、エレベーターの乗場またはかご内に設けられて、タッチパネルディスプレイを用いて行先階を登録するためのエレベーターの行先操作盤に関するものである。
【０００２】
【従来の技術】
従来、複数階床をサービスするエレベーターの乗場またはかご内に設けられて、タッチパネルディスプレイ上に複数の行先選択用の表示を行うエレベーターの行先操作盤がある（例えば、特許文献１参照）。
【０００３】
【特許文献１】
実開平５−１７７０号公報（請求項１、図１）
【０００４】
【発明が解決しようとする課題】
しかしながら、上述した従来のエレベーターの行先操作盤を高層ビルに適用した場合、高層ビルでは、タッチパネルティスプレイ内に全ての行先釦が表示できない場合がある。その対策として、複数の行先階登録画面に分割して表示し、表示切換え釦によって画面の切換えを行っていた。そのため、行先階登録画面の表示切換えを行ってから行先呼びを登録しなければならないといった不便さがあった。
【０００５】
この発明は、上記のような課題を解決するためになされたもので、行先釦の操作性を向上させることができるエレベーターの行先操作盤を得ることを目的とする。
【０００６】
【課題を解決するための手段】
この発明に係るエレベーターの行先操作盤は、エレベーターの乗場またはかご内に設けられて、行先階を登録するためのタッチパネルディスプレイを備えたエレベーターの行先操作盤において、建物内の全ての行先釦の表示をグループ分けして分割した複数の行先階登録画面の表示優先度をパラメータとして設定するパラメータ設定手段と、前記複数の行先階登録画面の表示優先度の比較に基づいて前記タッチパネルディスプレイに表示する行先階登録画面を決定する表示画面決定手段とを備えたことを特徴とするものである。
【０００７】
【発明の実施の形態】
実施の形態１．
図１は、この発明に係るエレベーターの行先操作盤の構成を示すブロック図である。図１に示すエレベーターの行先操作盤は、タッチパネルティスプレイに画像を描画するための液晶表示制御部１ａとタッチパネルティスプレイのタッチ位置を検出するためのタッチパネル制御部１ｂから構成され、エレベーターかご内もしくは乗場に設置される周知のタッチパネルティスプレイ１と、液晶表示制御部１ａを介してタッチパネルディスプレイ１に行先釦を表示するための行先釦表示手段２と、タッチパネル制御部１ｂを介して操作された行先釦を検出するための行先階検出手段３と、エレベーターの運行制御を行う周知のエレベーター制御装置４より得られるエレベーターの運行状況や特定の運転モードにより各行先階登録画面の優先度を判定する表示優先度判定手段５と、基準となる表示優先度や各行先階登録画面の表示優先度をパラメータとして設定するパラメータ設定手段６と、表示優先度判定手段５より得られた各行先階登録画面の優先度及びパラメータ設定手段６で設定されたパラメータにより表示する行先階登録画面を決定する表示画面決定手段７とを備えている。
【０００８】
図２は、建物内の全ての行先釦の表示をグループ分けするようにして分割した複数の行先階登録画面の中から表示画面決定手段７によってタッチパネルディスプレイ１に表示する行先階登録画面を取り出した例を示したもので、タッチパネルディスプレイ１に表示する行先階登録画面の侯補２１としては、例えば画面１〜画面４があり、この複数の行先階登録画面の中から表示画面決定手段７によって決められた例えば行先階登録画面（画面４）２２が取り出せるようになっている。
【０００９】
次に、この発明の実施の形態１に係る動作を図３に示す表示画面決定手段７に係る動作フローチャートを用いて説明する。すなわち、図３は、各行先階登録画面の優先度により表示する行先階登録画面を決定する表示画面決定手段７の動作フローチャートを示す。
【００１０】
まず、手順３１では、検索画面Ｐｎに例えば図２に示す画面１を設定し、手順３２では、出力画面Ｐｏに画面１を設定する。手順３３では、表示優先度Ｌｖに基準となる比較用レベルとして「Ｌｅｖｅｌ１」を設定し、手順３４では、検索画面Ｐｎの表示優先度Ｌｎを求める。ここで、パラメータ設定手段６には、基準となる比較用レベルと、例えば図２に示す画面毎に予め設定された表示優先度Ｌｎが格納されており、表示画面決定手段７は、基準となる比較用レベルと各画面１−４の表示優先度をパラメータ設定手段６から引き出すようになされている。
【００１１】
その後、手順３５へ進み、手順３４で求めた検索画面Ｐｎの表示優先度Ｌｎと、出力画面Ｐｏの表示優先度Ｌｖを比較し、Ｌｎ＞Ｌｖならば手順３６へ、そうでない場合は３７へ進む。手順３６では、表示優先度Ｌｖに手順３４で求めた表示優先度Ｌｎを設定すると共に、出力画面Ｐｏに検索画面Ｐｎを設定し、手順３７へ進む。手順３７では、画面検索が全て行われたかを判定する。全画面検索が完了した場合は、手順３９へ進む。そうでない場合は、手順３８へ進む。手順３８では、検索画面Ｐｎを変更し、手順３４以下を実行する。
【００１２】
図２を例にとって説明すると、検索画面Ｐｎが「画面１」であった場合、表示優先度を比較して表示優先度の高い検索画面Ｐｎを「画面２」に変更することになる。同様に、検索画面Ｐｎが「画面２」であった場合、表示優先度を比較して表示優先度の高い検索画面Ｐｎを「画面３」に変更することとなる。手順３９では、全画面を検索して最も表示優先度の最も高い出力画面Ｐｏを表示する画面に決定し、処理を終了する。
【００１３】
従って、実施の形態１によれば、建物内の全ての行先釦の表示をグループ分けするようにして分割した複数の行先階登録画面の中から予め設定された表示優先度の高い画面を選択してタッチパネルディスプレイに表示するようにしたので、行先釦の操作性を向上させることができる。
【００１４】
実施の形態２．
図４は、この発明の実施の形態２に係る表示優先度判定手段５の動作を示すフローチャートである。なお、図１に示す構成図、図３に示すフローチャートは共用する。
【００１５】
この実施の形態２では、図３に示す手順３４における検索画面Ｐｎの表示優先度Ｌｎを求めるもので、表示優先度判定手段５により行先呼びが登録された回数に応じて表示優先度を変更するようにするものである。すなわち、図４に示すように、手順４１では、検索画面Ｐｎ内の各階床の所定時間内における行先呼び発生数が、規定値Ｎ１未満の場合は手順４２へ、規定値Ｎ１以上かつ規定値Ｎ２未満の場合は手順４３へ、規定値Ｎ２以上の場合は手順４４へ移る。
【００１６】
手順４２では、検索画面Ｐｎの表示優先度Ｌｎを「Ｌｅｖｅｌ１」と設定し、処理を終了する。一方、手順４３では、検索画面Ｐｎの表示優先度Ｌｎを「Ｌｅｖｅｌ２」と設定し、処理を終了する。さらに、手順４４では、検索画面Ｐｎの表示優先度Ｌｎを「Ｌｅｖｅｌ３」と設定し、処理を終了する。
【００１７】
ここで、手順４１における行先呼び発生数は、エレベーター制御装置４から得られる運行状態に含まれるもので、通常、かご呼びが登録された回数であり、単位時間あたりのかご呼び登録が所定時間内の行先呼び発生数となる。また、手順４２−４４における検索画面Ｐｎの表示優先度は、予め決められた値であり、Ｌｅｖｅｌ１＜Ｌｅｖｅｌ２＜Ｌｅｖｅｌ３とする。さらに、表示優先度Ｌｎを決定するための規定値Ｎ１、Ｎ２は、パラメータ設定手段６で予め決められた値であり、Ｎｌ＜Ｎ２とする。
【００１８】
従って、実施の形態２によれば、表示優先度判定手段５により行先呼びが登録された回数に応じて表示優先度を変更するようにしたので、実際のエレベーターの運行状況に応じた表示優先度の画面を表示することができる。
【００１９】
実施の形態３．
図５は、この発明の実施の形態３に係る表示優先度判定手段５の動作を示すフローチャートである。なお、図１に示す構成図、図３に示すフローチャートは共用する。
【００２０】
この実施の形態３では、図３に示す手順３４における検索画面Ｐｎの表示優先度Ｌｎを求めるもので、表示優先度判定手段５により、設定される運転モードに応じて当該運転モードの運転時間に従って特定のサービス階の行先階登録画面の表示優先度を変更するようにするものである。
【００２１】
すなわち、図５に示すように、手順５１では、エレベーターの運転モードが昼食時サービス運転中か否か判定する。昼食時サービス運転中であれば手順５２へ、昼食時サービス運転中でなければ手順５４へ進む。手順５２では、検索面面Ｐｎ内に昼食時サービス運転モードのサービス階となる食堂階が含まれているか否か判定する。食堂階を含んでいれば手順５３へ、食堂階を含んでいなければ手順５４へ進む。手順５３では、検索面面Ｐｎの優先度を最も高い「Ｌｅｖｅｌ３」と設定し、処理を終了する。手順５４では、検索画面Ｐｎの優先度を「Ｌｅｖｅｌ３」より低い「Ｌｅｖｅｌ２」に設定し、処理を終了する。
【００２２】
なお、図５では、昼食時サービス遅転における食堂階を含む検索画面Ｐｎを一例として説明したが、会議室サービスの会議室階を含む検素画面Ｐｎ、出勤時遅転サービスや退勤時サービスにおける主階床を含む検索画面Ｐｎを優先度の「Ｌｅｖｅｌ３」画面として判定しても良い。
【００２３】
従って、実施の形態３によれば、表示優先度判定手段５により、設定される運転モードに応じて当該運転モードの運転時間に従って特定のサービス階の行先階登録画面の表示優先度を変更するようにしたので、運転モードに応じた表示優先度の画面を表示することができる。
【００２４】
【発明の効果】
以上のように、この発明によれば、複数の行先階登録画面の中から予め設定された表示優先度の高い画面を選択してタッチパネルディスプレイに表示するようにしたので、行先釦の操作性を向上させることができる。
【図面の簡単な説明】
【図１】この発明に係るエレベーターの行先操作盤の構成を示すブロック図である。
【図２】タッチパネルディスプレイ式の行先操作盤に表示する行先階登録画面の表示例を示す図である。
【図３】この発明の実施の形態１に係る表示画面決定手段７の動作フローチャートを示す。
【図４】この発明の実施の形態２に係る表示優先度判定手段５の動作を示すフローチャートである。
【図５】この発明の実施の形態３に係る表示優先度判定手段５の動作を示すフローチャートである。
【符号の説明】
１  タッチパネルディスプレイ、２  行先釦表示手段、３  行先階検出手段、４  エレベーター制御装置、５  表示優先度判定手段、６  パラメータ設定手段、７  表示画面決定手段。
【図１】
2004292155.tif 000003
【図２】
2004292155.tif 000004
【図３】
2004292155.tif 000005
【図４】
2004292155.tif 000006
【図５】
2004292155.tif 000007